(57)【要約】【課題】より単純なダストシュートを提供する。【解決手段】多数の管状のシュート部から組み立てられている、ビルのダストシュートにおいて、シュート部は、端と端との関係により、または端の位置で入れ子状となる関係により積み重ね可能であり、そして、囲まれたゴミ処理塔を提供することができる。そして、少なくともいくつかのシュート部は、シュート部の側壁において1つまたはそれ以上の開口部を有し、１つまたはそれ以上の開口部には、各々そらせ板が結合されている。このうち、そらせ板は、側壁から処理塔の中に延びており、そして好ましくは、そらせ板と、そらせ板が結合されている開口部との間の角度が鈍角となるように傾けられている。シュート部もまた、請求項に記載されている。
2009523109.tif 000002
【特許請求の範囲】
【請求項１】
多数の管状のシュート部から組み立てられている、ビルのダストシュートにおいて、
シュート部は、端と端との関係により、または端の位置で入れ子状となる関係により積み重ね可能であり、そして、囲まれたゴミ処理塔を提供することができ、
少なくともいくつかのシュート部は、シュート部の側壁において1つまたはそれ以上の開口部を有し、
１つまたはそれ以上の開口部には、各々そらせ板が結合されており、
そらせ板は、側壁から処理塔の中に延びており、そして好ましくは、そらせ板と、そらせ板が結合されている開口部との間の角度が鈍角となるように傾けられていることを特徴とするダストシュート。
【請求項２】
処分塔の中に延びているそらせ板の角度および距離は、そらせ板が、そらせ板が取り付けられている開口部より下にある開口部の雨覆いとなるよう選択されることを特徴とする請求項１に記載のダストシュート。
【請求項３】
そらせ板の端部のうち、そらせ板が結合されている開口部に対して遠位にある端部が、そらせ板が結合されている開口部よりも下にある開口部の下端と同一水平面上、もしくは略同一水平面上にあることを特徴とする請求項２に記載のダストシュート。
【請求項４】
そらせ板は、シュート部の幅をおおむね横切って延びているプレートからなることを特徴とする請求項１に記載のダストシュート。
【請求項５】
プレートは、向かい合う側壁と、プレートが結合されている開口部の下端またはその近傍とに固定されていることを特徴とする請求項４に記載のダストシュート。
【請求項６】
プレートは、プレートのうち開口部に対して遠位にある端部から垂れ下がっている出っ張り部を有していることを特徴とする請求項４または請求項５のいずれかに記載のダストシュート。
【請求項７】
出っ張り部は、補強棒を含んでいることを特徴とする請求項６に記載のダストシュート。
【請求項８】
プレートは、角度が１１０〜１５０度となるように側壁に溶接されていることを特徴とする請求項５乃至請求項７のいずれかに記載のダストシュート。
【請求項９】
角度は約１２０度であることを特徴とする請求項８に記載のダストシュート。
【請求項１０】
そらせ板は、開口部の端または開口部の端の近傍に蝶番で接続されており、そして、好ましくは鉛直方向に対して１００乃至１６０度の範囲において個別の角度で傾斜するように固定されていることを特徴とする請求項１に記載のダストシュート。
【請求項１１】
そらせ板は、交換可能であるようにシュート部に固定されていることを特徴とする請求項１に記載のダストシュート。
【請求項１２】
１つまたはそれ以上のシュート部は、積み重ねを容易化する部分をさらに含み、
積み重ねを容易化する部分は、シュート部の下端の内側から延びており、そして、下に隣接しているシュート部の中へ入れ子になることを特徴とする請求項１に記載のダストシュート。
【請求項１３】
そらせ板は、衝撃および／または音吸収特性を示すことを特徴とする請求項１乃至請求項１２のいずれかに記載のダストシュート。
【請求項１４】
ビルのダストシュートを形成するために、端と端との関係により、または端の位置で入れ子状となる関係により類似のシュート部と積み重ねられる管状のシュート部において、
前記ダストシュートは、処理塔を有し、
前記シュート部は、その側壁において１つまたはそれ以上の開口部と、１つまたはそれ以上の開口部と結合されているそらせ板と、を有し、
前記そらせ板は、側壁から処理塔の中に延びており、そして、好ましくは、そらせ板と、そらせ板が結合されている開口部との間の角度が鈍角となるように傾けられていることを特徴とするシュート部。
【請求項１５】
処分塔の中に延びているそらせ板の角度および距離は、そらせ板が、そらせ板が取り付けられている開口部より下の開口部の雨覆いとなるよう選択されることを特徴とする請求項１４に記載のシュート部。
【請求項１６】
そらせ板の端部のうち、そらせ板が結合されている開口部に対して遠位にある端部が、そらせ板が結合されている開口部よりも下にある開口部の下端と同一水平面上、もしくは略同一水平面上にあることを特徴とする請求項１５に記載のシュート部。
【請求項１７】
そらせ板は、シュート部の幅をおおむね横切って延びているプレートからなることを特徴とする請求項１４に記載のシュート部。
【請求項１８】
プレートは、向かい合う側壁と、プレートが結合されている開口部の下端またはその近傍とに固定されていることを特徴とする請求項１７に記載のシュート部。
【請求項１９】
プレートは、プレートのうち開口部に対して遠位にある端部から垂れ下がっている出っ張り部を有していることを特徴とする請求項１７または請求項１８のいずれかに記載のシュート部。
【請求項２０】
出っ張り部は、補強棒を含んでいることを特徴とする請求項１９に記載のシュート部。
【請求項２１】
プレートは、角度が１１０〜１５０度となるように側壁に溶接されていることを特徴とする請求項１８乃至請求項２０のいずれかに記載のシュート部。
【請求項２２】
角度は約１２０度であることを特徴とする請求項２１に記載のシュート部。
【請求項２３】
そらせ板は、開口部の端または開口部の端の近傍に蝶番で接続されており、そして、好ましくは鉛直方向に対して１００乃至１６０度の範囲において個別の角度で傾斜していることを特徴とする請求項１４に記載のシュート部。
【請求項２４】
そらせ板は、交換可能であるようにシュート部に固定されていることを特徴とする請求項１４に記載のシュート部。
【請求項２５】
シュート部は、積み重ねを容易にする部分をさらに含み、
積み重ねを容易にする部分は、シュート部の下端の内側から延びており、そして、真下に隣接しているシュート部の中へ入れ子になることを特徴とする請求項１４に記載のシュート部。
【請求項２６】
そらせ板は、衝撃および／または音吸収特性を示すことを特徴とする請求項１４乃至請求項２５のいずれかに記載のシュート部。
【発明の詳細な説明】
【技術分野】
【０００１】
本発明は、施工中または改修中などの多層ビルの階からゴミを重力方向に処分するダストシュートに関する。
【０００２】
多層ビルの建設現場において、ビルの上の階からゴミを除去するために、塔の形状を有するダストシュートを備えることは通常の習慣である。これによって、すべてのタイプのビルにおけるゴミは、上の階から、ダストシュート塔を介して、ダストシュートの底、例えば地表に配置されているコンテナに落とされる。
【０００３】
そのようなダストシュートは、通常、所定のビルに対して適切な高さを備えるように積み重ねることが可能な、円形または四角形の断面を有する個々の管状の部分から組み立てられている。所定位置にあるとき、ビルに沿って鉛直に延びている個々の管状の部分は、１つまたはそれ以上のゴミ投入口構造を有し、これによって、使用者はゴミをダストシュートの中に入れて重力方向に処分することができる。従来のダストシュートは、ビルにおいて様々な階の高さに対応するよう、多数の調整可能な構成部品を有しており、結果として、多くの部品が組み立てられなければならない。また、シュート部の側壁に設けられ、柔軟な板材で覆われている単純な開口部または穴部から、念入りに作られ、傾斜しているシュート組み立て体まで、多くの様々なゴミ投入口構造がある。
【０００４】
特許文献１は、所望の高さを提供するために端と端とで互いに連結している多数のシュート部を備えるダストシュートを示している。ゴミを除去する必要のあるビルの階の高さにあるシュート部は、ゴミ入口を有している。ゴミ入口は、シュート部に取り付けられ、そしてシュート部から外方に延びている、傾斜した管状の構造からなる。そのようなゴミ入口は、シュート部のうちの一定の位置にある。従って、ゴミの入口にゴミを入れるには、ゴミを持ち上げる、または下ろす必要が生じうる。このことは、職業上の健康、または安全上の問題を引き起こしうる。
【０００５】
特許文献２は、多数の金属板からなるシュート部を備えるビルのダストシュートを開示している。この場合もまた、床の高さにあるシュート部は、外部のゴミ入口を有する。ゴミ入口は、シュート部からビルの中へ外方に延びている底部と側壁とを有する、外付けの漏斗状の形態によって形成されている。漏斗の底部は、ビルの床の上に載置されており、シュート部を支持している。床の高さにあるシュート部の間で、シュート部は入れ子式になることができ、これによって、床の高さのシュート部は、ゴミ入口が床の高さになるよう調整されることができる。ゴミ入口の開口部は、伸縮自在なゴムのフラップにより覆われている。
【０００６】
特許文献３は、多層ビル内部に固定されている、ビルの居住者がゴミを処分するダストシュートを説明している。ダストシュートは、予め鋳造されたコンクリート製の管状の壁から製造されており、そして、ゴミが投げ入れられるよう開口している投入口を有している。投入口は、コンクリート製の塔から外方に延びており、そして、コンクリート製の外壁と、ゴミを流してダストシュートの中に送るように回るドアとを有している。投入口は各階に１つである。
【０００７】
特許文献４は、サイロへ供給し、およびサイロから排出するよう分離された通路を有する、二重通路サイロシュートを説明している。この場合、供給通路は、サイロと排出通路との間にある。供給通路と排出通路の分離は、直立した壁により実現される。この直立した壁には、通常は閉じられている入口ドアが設けられている。サイロの貯蔵物のいくらかを排出するとき、入口ドアは、ドア下部にある横枠の上のヒンジの周りで回転させられ、これによって、サイロ内側からの通路が形成される。サイロの貯蔵物は、ドアを横切って排出通路に落ちる。
【０００８】
本願と同一出願人による特許文献５は、各シュート部に複数のゴミ投入口を有するダストシュートシステムを提供している。使用しないときの投入口は、取り外し可能な板により覆われることができ、これによって、機能している投入口は別として、連続してゴミを落とすことができる。ゴミ投入口は、ダストシュートから外方に延びており、そして、ビルの床の上に載置される平坦部を有している。
【特許文献１】ＵＫ  Ｐａｔｅｎｔ  ｄｏｃｕｍｅｎｔ  ＧＢ２，２２９，４２７Ａ
【特許文献２】ＵＳ  Ｐａｔｅｎｔ  ３，６２７，０９０
【特許文献３】ＵＫ  Ｐａｔｅｎｔ  ｄｏｃｕｍｅｎｔ  ＧＢ１，０７１，９４９Ａ
【特許文献４】ＵＳ  Ｐａｔｅｎｔ  ３，７０９，３４５
【特許文献５】ＡＵ  Ｐａｔｅｎｔ  ｄｏｃｕｍｅｎｔ  ＡＵ６８２７５８
【発明の開示】
【発明が解決しようとする課題】
【０００９】
本発明の課題は、上述のタイプのダストシュートのうち、より単純なものを提供することである。すなわち、ダストシュートは、所望の高さを有し囲まれたゴミ処分塔を提供するよう組み立てられる、多数の個別のシュート部を備え、いくつかの任意のシュート部は、その周縁部の壁に、入口となる開口部を有し、この開口部を通してゴミがシュート塔の中へ落とされる。そしてダストシュートの組立部品は、ダストシュート塔の上方から落ちてくる物によりダストシュート使用者が怪我をする危険を削減する。
【００１０】
とりわけ、ダストシュート塔にゴミを押し込む使用者が、投入位置よりも上の高さから落ちてくる物によって怪我をする危険が削減されるよう安全構造を備えることを課題とする。
【００１１】
さらに、ダストシュート塔への現行の開口部が遮られることなく、その開口部よりも上の高さから落ちてくる物が、その開口部を通ってダストシュート塔から出ることを最小にするダストシュートの投入口構造を提供することを課題とする。
【課題を解決するための手段】
【００１２】
広い形態において、本発明は、ビルの内側および外側で使用する、内部にそらせ板を備える単純なダストシュートを提供する。
【００１３】
１つの形態において、本発明は、多数の管状の（またはダクトのような）シュート部から組み立てられている、ビルのためのダストシュートを提供する。シュート部は、端と端との関係によって、または端の位置で入れ子状となる関係によって積み重ね可能であり、そして、囲まれたゴミ処理塔を提供することができ、少なくともいくつかのシュート部は、シュート部の側壁において1つまたはそれ以上の開口部を有し、１つまたはそれ以上の開口部には、各々そらせ板が結合されている。そらせ板は、側壁から処理塔の中に延びており、そして好ましくは、そらせ板と、そらせ板が結合されている開口部との間の角度が鈍角となるように傾けられている。
【００１４】
内部のそらせ板は、上から落ちてくるゴミからの保護を提供し、これによって、使用者は、低い階において、上から落ちてくるゴミにより傷つけられる可能性が最小化された状態で、ダストシュートの中に安全にゴミを入れることができる。そらせ板の長さは、平均的な人の腕の長さと等しいか、またはそれよりも長いことが好ましく、これによって、人および人の腕を、上から落ちてくるゴミから保護することができる。
【００１５】
好ましくは、シュート部は、シュート部の高さ方向に沿って多数の開口部を有しており、これによって、ゴミを処分するための様々なゴミ投入位置が提供される。従って、例えばゴミを捨てようとしている人は、床の高さよりも上にある開口位置までかがむ、またはゴミを持ち上げる必要がなく、代わりに、シュート部に沿って低い高さにある入口、たとえば床の高さにある入口を使うことができる。これによって、ダストシュートの中へゴミが容易に一掃される。
【００１６】
好ましくは、処分塔の中に延びているそらせ板の角度および距離は、そらせ板が、そらせ板が取り付けられている開口部より下にある開口部の雨覆いとなるよう選択される。さらに好ましくは、そらせ板の端部のうち、そらせ板が結合されている開口部に対して遠位にある端部が、そらせ板が結合されている開口部よりも下にある開口部の上端または下端と同一水平面上にある。このような形態は、処分塔に入れられたゴミが、下にある開口部を通ってビルに戻ってくることを最小にするのに役立つ。製造上の観点からは、すべてのそらせ板を同じ角度で傾斜させていることが望ましいが、シュート部の内部またはシュート部の間において、個々のそらせ板の傾斜角度が必ずしも一様に同じである必要はない。
【００１７】
好ましくは、そらせ板は、シュート部の幅をおおむね横切って延びているプレートからなる。プレートは、向かい合う側壁と、そらせ板が結合されている開口部の下端またはその近傍とに固定されている。ゴミがそらせ板を下ってダストシュートの中に移動するときにそらせ板が弾むことのないよう、そらせ板は強固に固定されている。これによって、そらせ板へのダメージを最小にし、そして、ゴミが処分塔の中へ滑らかに落ちていくようにすることができる。
【００１８】
好ましくは、プレートは、開口部に対して遠位にあるプレートの端部から垂れ下がっている出っ張り部を有している。出っ張り部は、補強棒を含んでいる。そのような出っ張り部はそらせ板を補強し、そして、そらせ板のうち固定されていない方の端に上から落ちてきたゴミが当たったとしても、そらせ板が曲がるのを最小にする。
【００１９】
他の形態において、そらせ板は、開口部の端または開口部の端の近傍に蝶番で接続されており、そして、鉛直方向に対して個別の角度で傾斜するように固定されている。そらせ板の傾斜角度を変えるという選択肢を有することにより、使用者は、所定のダストシュートの要求に最も沿うように、そらせ板の角度を選ぶことができる。
【００２０】
開口部が設けられている壁と（または、開口部か画定されている平面と）、そらせ板が延びている平面と（すなわち、平面的なまたはプレートのようなそらせ板を想定している）の間の角度は、好ましくは１１０〜１５０度であり、さらに好ましくは約１２０度である。
【００２１】
損傷したそらせ板を容易に取り替えることができるように、そらせ板は、シュート部に取り外し可能であるように固定されている。
【００２２】
そらせ板は単純な平面板により形成されているが、他の構造では、例えば波板や谷型の板などを使うことができる。
【００２３】
本発明の図示的な形態は、添付図面を参照することにより説明される。本発明のさらなる特徴および利点は、以下の記述により明らかとなる。
【発明の効果】
【００２４】
内部のそらせ板は、上から落ちてくるゴミからの保護を提供し、これによって、使用者は、低い階において、上から落ちてくるゴミにより傷つけられる可能性が最小化された状態で、ダストシュートの中に安全にゴミを入れることができる。
【発明を実施するための最良の形態】
【００２５】
本発明は、様々な方法により実施されることができ、そして、図示されている形態は、単に説明のための構成とみなされる。
【００２６】
図１は、ダストシュート１０の概略を示す斜視図である。ダストシュート１０は、４つの同一のシュート部１２から組み立てられている。シュート部１２は、図に示されているように、同一の、積み重ねられ、そして端面において互いに固定される形態であることができ、または、シュート部１２がその側壁を通して互いに結合される、すなわち望遠鏡の挿入部に似た、入れ子状に配列されているというような、その他の形態であってもよい。シュート部１２は、所定の用途で必要な高さまで積み重ねられることができる。様々なタイプのシュート部が、例えば特許文献１、２および５によって知られており、その結果、その内容は組み合わされている。
【００２７】
この場合、シュート部１２は一定の四角形の横断面を有し、そして鋼板から形成されており、またその端面において、囲まれた処分塔１４を形成するよう、取り外し可能なように互いに結合されている。そしてゴミは、重力により、下にあるコンテナ１６に向かって処分塔１４を通って落ちる。ゴミは、処分塔１４の中へ、ゴミ投入口／開口部１８を通って供給される。
【００２８】
本発明の基礎をなす思想は、図２を参照することで最も正しく理解される。各シュート部１２は多数の開口部１８を有している。これらの多数の開口部１８により、同じ階上の様々な高さにおいて、例えば、ボブキャット、または同様の車のトレイ、または手や手押し車、またはゴミを塔１４の中に掃くことによって、ゴミをダストシュート１０の中に送りこむことができるようになる。状況に応じて、いくつかのシュート部１２のみが多数の開口部１８を有していてもよく、または１つの開口部のみを有していてもよい。
【００２９】
各ゴミ入口１８に連結され、処分塔の中に延びているそらせ板２０は、シュート部１２の高さ方向の軸に対して一定の角度で傾斜しており、そして、とりわけ、そらせ板２０が連結されているゴミ投入口１８に対して相対的に鈍角で傾斜している。各そらせ板は、好ましくは平らな金属薄板からなり、そして、連結されているゴミ投入口１８と、そのゴミ投入口１８の下端または下端近傍において固定されている。そらせ板２０は、ゴミを処分塔１４の中に重力により送りこむのに力を貸すよう、ゴミを滑らせる。また、そらせ板２０は、上の階からのゴミが、下の階でゴミをダストシュート１０の中に入れている使用者を傷つける危険を最小化する。そらせ板２０はまた、そのそらせ板２０が連結されている開口部よりも下のゴミ投入口１８に対して、かくれ場または保護をもたらす。示されているそらせ板２０の角度および長さは、そらせ板２０のうちゴミ投入口１８から最も遠い端部が、そのそらせ板の下にあるゴミ投入口１８の上端と同一水平面上にあるように示されている（ラインＡ参照）。そらせ板は、各そらせ板２０の端部から垂れ下がっている。そしてそらせ板の全幅にわたって延びている、水平な補強材２４を有している。
【００３０】
各シュート部１２は、多数の（例えば４つ乃至６つ、またはそれ以上の）そらせ板２０を有することができる。それらのそらせ板２０は、その重さのため、持ち上げ器具により固定位置まで持ち上げられる必要がある場合がある。しかしながら、１つまたは２つのそらせ板２０を有する小さなシュート部１２を製造することもでき、この場合は、固定位置に手動で固定することができる。
【００３１】
図２にはまた、コンテナ１６の上でダストシュート１０を支持する支柱２２の一例が示されている。ダストシュート１０はまた、ビルに、または建築現場の足場に取り付けられることができる。または、図３および４に示されている締着または取付ポイント２８を使用して、先行文献において知られているようなその他の構造物に取付けられることもできる。
【００３２】
図３Ａは、図３Ｃ（図２におけるダストシュート１０の側面図を単純に再現した図）のラインＡに沿って、ダストシュート１０を上から見た図を示す。この形態におけるそらせ板２０の長さは、ダストシュート１０の中におけるシュート部１２の長さの約４０乃至６０％（または、ゴミを捨てる人の腕の長さを覆うのに十分な長さ）であり、そして、図３Ｂに示されているように、そらせ板２０はシュート部１２の幅を横切って延びている。
【００３３】
図４に示されているように、ゴミ投入口１８は、選択的にカバー２６を有することができる。カバーは、遮光布タイプの材料またはゴムのような、それを通ってゴミを入れることができるフラップ２６ｂからなることもでき、または、入口１８を一時的に使えないように封止するよう、取り外し可能に固定された鋼鉄製のカバー２６ａからなることもできる。
【００３４】
図５は、端と端との配置においてダストシュート１０を形成するよう積み重なる個々のシュート部１２としての、可能な形態を示している。本体とそらせ板２０の形態は、前に示した図と同じである。しかしながら、シュート部１２は、シュート部１２の壁の内側に配置されている、３側面を有する部品積み重ねを容易化する部分３０を含んでおり、これによって、下にあるシュート部１２の上端部の中に入れ子状に固定することができる。積み重ねを容易化する部分３０は、ダストシュート１０のうちゴミ投入口１８を備える側に対応する開口した前面部を有しており、そして、シュート部１２の側壁の一部と、投入口１８を有する壁から遠位に平行にある壁とに沿って延びている。ダストシュート１０が円形の断面を有する場合は、積み重ね容易化部分３０は円弧形である。積み重ね容易化部分３０はまた、シュート部１２が入れ子にされているダストシュート１０の中に設けられることもできる。
【００３５】
さらに、緊締器具、この場合はチェーン３２は、ゴミシュート部１２の上端部の上に設けられている。このチェーン３２は、ダストシュート１０が支持されている足場またはそのほかの構造に取り付けられることができ、または、隣接するシュート部１２に直接に連結することもできる。チェーン３２は、連結ポイント２８に加えて、または連結ポイント２８に代わるものとして使用される。
【００３６】
シュート部１２およびダストシュート１０のもっとも好ましい形態が、図６および図７に示されている。この場合、シュート部１２は、１つの入口１８に連結された１つのそらせ板２０を有している。シュート部１２は、各シュート部１２がダストシュート１０を形成するよう端と端の配置において積み重ねられるタイプである。シュート部１２の上端部および下端部は、シュート部１２の壁に対して垂直に延びている片３３を有しており、シュート部１２の片３３は、そのシュート部１２と直接に隣接しているシュート部１２にある同様の片と対応している。隣接するシュート部１２は、片３３に設けられている取付ポイント３４を介して適切な手段により互いに固定される。例えば図７に示す例においては、互いにボルト３６により結合されている。
【００３７】
本発明は、説明された形態のダストシュートにのみ適用されるわけではない。例えば、シュート部１２は何らかの適切な材料からなり、そして用途における必要に応じて完全なダストシュートとなるよう、シュート部１２には様々な断面形状が利用される。鋼板が最も一般的に用いられるが、強化プラスティック材料または木製構造が検討から除かれているわけではない。混成の材料による解決策、例えばシュート部は金属板から製造され、そらせ板は鋼鉄（またはその他の強化された）プラスティック材料からなる、という具合である。同様に、鋼板からなるそらせ板は、磨耗耐性を有し、そして／または、上から落ちてきてそらせ板に衝突するゴミによる音の衝撃を最小にするよう、音を吸収する材料により覆われていてもよい。
【図面の簡単な説明】
【００３８】
【図１】図１は、本発明の実施の形態において、ダストシュート全体を示す斜視図であり、３つの階において様々な手段によりダストシュートに入れられ、そしてダストシュートの底においてコンテナの中に落ちていくゴミを示している。なお、ダストシュートの内部形態を示すため、図には切り取られた断面部分が描かれている。
【図２】図２は、図１におけるダストシュートを示す部分側面図であり、ビルのうち４つの階が示されている。
【図３】図３は、図１におけるダストシュートの上面図（３Ａ）、正面図（３Ｂ）、および側面図（３Ｃ）である。
【図４】図４は、ゴミ投入口に様々なカバーを有するダストシュートを示す正面図である。
【図５】図５は、図１における積み重ね可能なシュート部であって、積み重ねを容易化する部分と緊締器具とを含むシュート部を示す斜視図である。
【図６】図６は、本実施の形態において、図１に示されているダストシュートのうちの１つのシュート部を示す斜視図である。
【図７】図７ＡとＢは、それぞれ、図６に示されているタイプのシュート部が互いに結合している様子を示す側面図および上面図である。
【図１】
2009523109.tif 000003
【図２】
2009523109.tif 000004
【図３】
2009523109.tif 000005
【図４】
2009523109.tif 000006
【図５】
2009523109.tif 000007
【図６】
2009523109.tif 000008
【図７Ａ】
2009523109.tif 000009
【図７Ｂ】
2009523109.tif 000010
【国際調査報告】
2009523109.tif 000011
2009523109.tif 000012
2009523109.tif 000013